(57)【要約】【課題】比較的簡単な構成で駆動動作の安定化を図ることが可能なリモコンリレーを提供する。【解決手段】リモコンリレーは、有極電磁石２０と、開閉機構部とを備え、有極電磁石２０は、プランジャ２７の両端に設けられた接極子２８と、プランジャ２７の停止位置において一対の接極子２８のうちいずれか一方の接極子２８が近接するヨーク２１と、ヨーク２１と一方の磁極側が当接する永久磁石２３の他方の磁極側が当接しヨーク２１からより離れた接極子２８が近接する補助ヨーク２４と、ヨーク２１からより離れた接極子２８と補助ヨーク２４との間の間隔２０Ｇを保持する間隔保持部２２とを備え、一対の接極子２８は、ヨーク２１からより離れた接極子２８と補助ヨーク２４とが間隔２０Ｇで近接し、補助ヨーク２４からより離れた接極子２８とヨーク２１とが空間を介して近接する。【選択図】図１
2015141884.tif 000002
【特許請求の範囲】
【請求項１】
コイルへの通電に応じて該コイルを巻装したコイル枠からプランジャを進退駆動させる有極電磁石と、前記プランジャの進退に応じて接点部を開閉させる開閉機構部と、を備え、
前記有極電磁石は、前記プランジャの進退方向における前記プランジャの両端それぞれに設けられた接極子と、前記プランジャの停止位置において一対の前記接極子のうちいずれか一方の前記接極子が近接するヨークと、該ヨークと一方の磁極側が当接する永久磁石と、該永久磁石の他方の磁極側が当接し前記ヨークからより離れた前記接極子が近接する補助ヨークと、前記ヨークからより離れた前記接極子と前記補助ヨークとの間の間隔を保持する間隔保持部とを備えており、
前記一対の接極子は、前記プランジャの停止位置において、前記ヨークからより離れた前記接極子と前記補助ヨークとが前記間隔保持部で規定された間隔で近接し、前記補助ヨークからより離れた前記接極子と前記ヨークとが空間を介して近接することを特徴とするリモコンリレー。
【請求項２】
前記間隔保持部は、前記プランジャの停止位置において、前記ヨークからより離れた前記接極子と前記補助ヨークとの間に設けた非磁性体のプレートであることを特徴とする請求項１に記載のリモコンリレー。
【請求項３】
前記間隔保持部は、前記コイル枠から、前記プランジャの停止位置において、前記ヨークからより離れた前記接極子側に突出する突出部であることを特徴とする請求項１に記載のリモコンリレー。
【発明の詳細な説明】
【技術分野】
【０００１】
本発明は、リモコンリレーに関するものである。
【背景技術】
【０００２】
従来、たとえば、照明器具の点灯のオンとオフとを遠隔制御するためにラッチング形のリモコンリレーが用いられている。
【０００３】
この種のリモコンリレーとしては、図１１に示す、電磁石コイル１０６を制御してプランジャー１０５を駆動させる電磁石装置１０４を備えたものが知られている（たとえば、特許文献１を参照）。
【０００４】
特許文献１のリモコンリレーは、プランジャー１０５の駆動に連動して、開閉機構部の接点部を構成する可動接点１１１と、固定接点１１２との接触や開離が行われる。電磁石装置１０４は、プランジャー１０５が内部において移動可能に設けられた第１のヨーク１０８を有している。電磁石装置１０４は、プランジャー１０５の駆動により第１のヨーク１０８内面に当接するプランジャー１０５の吸着面１０５ａに、スペーサ１３１ａを設けている。特許文献１のリモコンリレーでは、電磁石装置１０４は、スペーサ１３１ａを吸着面１０５ｄまで延長している。電磁石装置１０４は、第２のヨーク１１０を移動可能として、第２のヨーク１１０とボビン１０７の係合部１０７ａとの間にスペースを設けている。
【０００５】
なお、電磁石装置１０４は、第１のヨーク１０８の内側面に一対の永久磁石１０９が配置されている。永久磁石１０９は、一対の第２のヨーク１１０が当接している。
【０００６】
特許文献１のリモコンリレーでは、第２のヨーク１１０が移動可能で、吸着面１０５ｄと第２のヨーク１１０との間のギャップはスペーサ１３１ａの板厚によってのみ決まり、吸着力も均一となる、としている。
【先行技術文献】
【特許文献】
【０００７】
【特許文献１】特開平５−１０９５２５号公報
【発明の概要】
【発明が解決しようとする課題】
【０００８】
リモコンリレーは、比較的簡単な構成で駆動動作の安定化を図ることが可能なものが求められており、特許文献１のリモコンリレーの構成だけでは十分ではなく、更なる改良が求められている。
【０００９】
本発明は、上記事由に鑑みてなされたものであり、その目的は、比較的簡単な構成で駆動動作の安定化を図ることが可能なリモコンリレーを提供することにある。
【課題を解決するための手段】
【００１０】
本発明のリモコンリレーは、コイルへの通電に応じて当該コイルを巻装したコイル枠からプランジャを進退駆動させる有極電磁石と、上記プランジャの進退に応じて接点部を開閉させる開閉機構部と、を備え、上記有極電磁石は、上記プランジャの進退方向における上記プランジャの両端それぞれに設けられた接極子と、上記プランジャの停止位置において一対の上記接極子のうちいずれか一方の上記接極子が近接するヨークと、当該ヨークと一方の磁極側が当接する永久磁石と、当該永久磁石の他方の磁極側が当接し上記ヨークからより離れた上記接極子が近接する補助ヨークと、上記ヨークからより離れた上記接極子と上記補助ヨークとの間の間隔を保持する間隔保持部とを備えており、上記一対の接極子は、上記プランジャの停止位置において、上記ヨークからより離れた上記接極子と上記補助ヨークとが上記間隔保持部で規定された間隔で近接し、上記補助ヨークからより離れた上記接極子と上記ヨークとが空間を介して近接することを特徴とする。
【００１１】
このリモコンリレーにおいて、上記間隔保持部は、上記プランジャの停止位置において、上記ヨークからより離れた上記接極子と上記補助ヨークとの間に設けた非磁性体のプレートであることが好ましい。
【００１２】
このリモコンリレーにおいて、上記間隔保持部は、上記コイル枠から、上記プランジャの停止位置において、上記ヨークからより離れた上記接極子側に突出する突出部であることが好ましい。
【発明の効果】
【００１３】
本発明のリモコンリレーは、プランジャの停止位置において、一方の接極子と補助ヨークとが間隔保持部で規定された間隔で近接し、他方の接極子とヨークとが空間を介して近接することで、比較的簡単な構成で駆動動作の安定化を図ることが可能となる。
【図面の簡単な説明】
【００１４】
【図１】図１は、実施形態１のリモコンリレーの要部を示す断面図である。
【図２】図２は、実施形態１のリモコンリレーの要部を示す分解斜視図である。
【図３】図３は、実施形態１のリモコンリレーを示す分解斜視図である。
【図４】図４は、実施形態１のリモコンリレーの別の要部を示す側面図である。
【図５】図５は、実施形態１のリモコンリレーの内部回路図である。
【図６】図６は、実施形態１のリモコンリレーの他の要部を示す斜視図である。
【図７】図７は、実施形態１のリモコンリレーを用いた遠隔制御システムの概略構成図である。
【図８】図８は、実施形態２のリモコンリレーの要部を示す断面図である。
【図９】図９は、実施形態２のリモコンリレーの別の要部を示す斜視図である。
【図１０】図１０は、実施形態３のリモコンリレーの要部を示す斜視図である。
【図１１】図１１は、従来の接点部および電磁石装置を示す側面図である。
【発明を実施するための形態】
【００１５】
（実施形態１）
本実施形態のリモコンリレー１０を図１ないし図５に基づいて説明する。なお、図中において同じ部材に対しては、同じ番号を付している。
【００１６】
本実施形態のリモコンリレー１０は、図１に示すように、コイル２５への通電に応じてコイル２５を巻装したコイル枠２６からプランジャ２７を進退駆動させる有極電磁石２０を備えている。リモコンリレー１０は、図４に示すように、プランジャ２７の進退に応じて接点部７１を開閉させる開閉機構部７０を備えている。
【００１７】
有極電磁石２０は、プランジャ２７の進退方向におけるプランジャ２７の両端それぞれに設けられた接極子２８と、プランジャ２７の停止位置において一対の接極子２８のうちいずれか一方の接極子２８が近接するヨーク２１とを備えている。有極電磁石２０は、ヨーク２１と一方の磁極側が当接する永久磁石２３と、永久磁石２３の他方の磁極側が当接しヨーク２１からより離れた接極子２８が近接する補助ヨーク２４とを備えている。有極電磁石２０は、ヨーク２１からより離れた接極子２８と補助ヨーク２４との間の間隔２０Ｇを保持する間隔保持部２２を備えている。
【００１８】
一対の接極子２８は、プランジャ２７の停止位置において、ヨーク２１からより離れた接極子２８と補助ヨーク２４とが間隔保持部２２で規定された間隔２０Ｇで近接し、補助ヨーク２４からより離れた接極子２８とヨーク２１とが空間を介して近接する。
【００１９】
これにより本実施形態のリモコンリレー１０は、比較的簡単な構成で駆動動作の安定化を図ることが可能となる。
【００２０】
以下では、本実施形態のリモコンリレー１０について、より詳細に説明する。
【００２１】
図３に示すリモコンリレー１０は、ケース１０ａがＪＩＳで規格化されている電灯分電盤用協約形回路遮断器における寸法に設定されている。ケース１０ａは、幅方向の一面が開口した有底角筒状のボディ１２と、ボディ１２の開口部を覆う平板状のカバー１１とで構成している。ケース１０ａは、カバー１１やボディ１２を樹脂材料の成形品により形成することができる。ケース１０ａは、カバー１１やボディ１２の樹脂材料として、たとえば、難燃性のＰＢＴ(Polybutylene terephtalate)樹脂を用いることができる。カバー１１は、複数（ここでは、４個）の第１貫通孔１１ａａをカバー１１の外周部に備えている。ボディ１２は、カバー１１の第１貫通孔１１ａａに対応して、第２貫通孔１２ａａをボディ１２の外周部に設けている。リモコンリレー１０では、かしめピン１３をカバー１１の第１貫通孔１１ａａに挿通させ、ボディ１２におけるカバー１１とは反対側の外底面に突出させる。リモコンリレー１０は、かしめピン１３の先端部が、かしめられることによって、カバー１１とボディ１２とを結合することができる。
【００２２】
リモコンリレー１０は、ケース１０ａの内部に、コイル２５への通電に応じてプランジャ２７の駆動を制御する有極電磁石２０と、プランジャ２７の進退に応じて接点部７１の開閉を行う開閉機構部７０とを収納している（図４を参照）。
【００２３】
有極電磁石２０は、図２に示すように、ヨーク２１と、永久磁石２３と、補助ヨーク２４と、コイル２５と、コイル枠２６と、プランジャ２７と、一対の接極子２８とを主要な構成として備えている。
【００２４】
ヨーク２１は、磁力線を集中させ磁力による吸着力を増幅可能なものである。ヨーク２１は、たとえば、純鉄、パーマロイや珪素鋼などの磁性材料により形成することができる。本実施形態のリモコンリレー１０では、ヨーク２１は、２個の分割ヨーク部２１ａを組み合わせて構成している。分割ヨーク部２１ａは、矩形板状の中央片２１ａａと、中央片２１ａａの両側縁それぞれから一方向に突出する一対の突出片２１ａｂとを備え、断面視においてＣ字状の外形形状に形成している。本実施形態のリモコンリレー１０では、ヨーク２１は、２個の分割ヨーク部２１ａを同じ磁性材料を用いて同じ形状に形成しているが、必ずしも同じ磁性材料を用いて同じ形状に形成するものだけに限られない。
【００２５】
分割ヨーク部２１ａは、プランジャ２７の進退方向と直交する方向（図１の紙面の上下方向）に並べている。２個の分割ヨーク部２１ａは、突出片２１ａｂの先端面同士がコイル枠２６により所定の間隔を介して対向するように配置される。すなわち、２個の分割ヨーク部２１ａは、ヨーク２１全体として四角筒状となるように構成している。各分割ヨーク部２１ａそれぞれは、Ｃ字状の分割ヨーク部２１ａの内底面となる中央片２１ａａの表面上に、平板状の永久磁石２３を設けている。分割ヨーク部２１ａは、永久磁石２３を介して、永久磁石２３の他方の磁極側に補助ヨーク２４を配置している。
【００２６】
補助ヨーク２４は、磁力線を集中させ磁力による吸着力を増幅可能なもので、ヨーク２１を補助するために設けている。補助ヨーク２４は、たとえば、純鉄、パーマロイや珪素鋼などの磁性材料により形成することができる。補助ヨーク２４は、２個の分割補助ヨーク部２４ａを組み合わせて構成している。分割補助ヨーク部２４ａは、矩形板状の中央板２４ａａと、中央板２４ａａの両側縁それぞれから一方向に突出する一対の突起板２４ａｂとを備え、断面視においてＣ字状の外形形状に形成している。分割補助ヨーク部２４ａは、分割ヨーク部２１ａよりも小さい形状としている。補助ヨーク２４は、２個の分割補助ヨーク部２４ａを同じ磁性材料を用いて同じ形状に形成しているが、必ずしも同じ磁性材料を用いて同じ形状に形成するものだけに限られない。分割補助ヨーク部２４ａは、分割ヨーク部２１ａと一方の磁極が当接する永久磁石２３の他方の磁極側を、Ｃ字状の分割補助ヨーク部２４ａの外底面となる中央板２４ａａの表面に当接している。２個の分割補助ヨーク部２４ａは、コイル枠２６に巻かれたコイル２５を、囲むように配置している。
【００２７】
コイル枠２６は、コイル２５を巻回可能なものである。コイル枠２６は、エポキシ樹脂やポリフェニレンサルファイド樹脂などの電気絶縁材料により形成することができる。コイル枠２６は、コイル２５が巻かれる筒状の巻胴部２６ａと、巻胴部２６ａの軸方向の両端部に設けられた板状の鍔部２６ｂとを備えている。また、コイル枠２６は、鍔部２６ｂの両側縁からプランジャ２７の進退方向に沿って巻胴部２６ａと反対側に突出する板状の側部２６ｃを備えている。巻胴部２６ａには、筒状の巻胴部２６ａの挿通孔２６ａａに、磁性材料により形成されたプランジャ２７が挿入される（図１を参照）。プランジャ２７は、巻胴部２６ａの軸方向において、進退自在としている。
【００２８】
プランジャ２７は、磁力により可動する可動鉄芯を構成可能なものである。プランジャ２７は、たとえば、鉄などの強磁性体の磁性材料により形成することができる。プランジャ２７は、たとえば、長尺の板状に形成することができるが、板状のものだけに限られず円柱状のものでもよい。本実施形態のリモコンリレー１０では、プランジャ２７は、プランジャ２７の両方の端部２７ｂａを、プランジャ２７の中央部２７ｂｂと比べて幅を狭くしている。プランジャ２７は、矩形板状に形成された接極子２８を端部２７ｂａに設けている。以下では、便宜上、一対の接極子２８のうち、図１の紙面の左側の接極子２８を第１接極子２８ａといい、図１の紙面の右側の接極子２８を第２接極子２８ｂともいう。
【００２９】
プランジャ２７は、一対の接極子２８のうち、第１接極子２８ａの第１嵌合孔２８ａａにプランジャ２７の一方の端部２７ｂａを挿入し、プランジャ２７の端部２７ｂａに第１接極子２８ａを、かしめ固定している（図２を参照）。なお、プランジャ２７は、たとえば、第１接極子２８ａを、かしめ固定した後、プランジャ２７の端部２７ｂａから第１接極子２８ａが抜けないように、保持ピン２７ａが挿入される構成としてもよい。また、プランジャ２７は、非磁性体のプレート２２ａを介して、第２接極子２８ｂの第２嵌合孔２８ｂｂにプランジャ２７の他方の端部２７ｂａを挿入し、プランジャ２７の端部２７ｂａに第２接極子２８ｂを、かしめ固定している。
【００３０】
第２接極子２８ｂは、プランジャ２７の進退駆動時において、補助ヨーク２４の突起板２４ａｂにプレート２２ａが当接することで、プランジャ２７の前進方向（図１の左側方向）への移動範囲を規制することができる。なお、第２接極子２８ｂは、補助ヨーク２４を構成する２個の分割補助ヨーク部２４ａのいずれか一方の突起板２４ａｂと当接すればよい。有極電磁石２０は、プランジャ２７の前進方向の停止位置で、第１接極子２８ａとヨーク２１とが直接接触していない状態で、第１接極子２８ａとヨーク２１と永久磁石２３と補助ヨーク２４と第２接極子２８ｂとプランジャ２７とで閉磁路を形成することができる。すなわち、有極電磁石２０では、第１接極子２８ａとヨーク２１とが所定のギャップ長の空間を介して閉磁路を形成している。有極電磁石２０では、閉磁路が形成されることで、プランジャ２７をその位置で保持することが可能となる。
【００３１】
また、第１接極子２８ａは、プランジャ２７の進退駆動時において、補助ヨーク２４の突起板２４ａｂに第１接極子２８ａが当接することで、プランジャ２７の後進方向（図１の右側方向）への移動範囲が規制されている。有極電磁石２０は、プランジャ２７の後進方向の停止位置で、第２接極子２８ｂとヨーク２１と永久磁石２３と補助ヨーク２４と第１接極子２８ａとプランジャ２７とで閉磁路が形成される。有極電磁石２０は、閉磁路が形成されることで、プランジャ２７をその位置で保持することが可能となる。
【００３２】
コイル２５は、通電により電磁力を生じさせることが可能なものである。コイル２５は、たとえば、１巻線型のコイルを用いて構成することができる。コイル２５は、コイル２５への通電方向に応じてプランジャ２７を進退駆動させる構成としている。有極電磁石２０は、接極子２８とヨーク２１とが近接するまでプランジャ２７を進退駆動させると、コイル２５への通電が停止されても、永久磁石２３の磁力によってプランジャ２７の位置を保持することができる。
【００３３】
本実施形態のリモコンリレー１０は、図３および図４に示すように、ボディ１２におけるカバー１１との対向面側に突出するように設けられた第１仕切片１２ｂと第２仕切片１２ｃとの間に有極電磁石２０を配置している。リモコンリレー１０は、有極電磁石２０と第２仕切片１２ｃとの間に、外形がＣ字状の板ばね１６を挿入することが好ましい。リモコンリレー１０では、板ばね１６により有極電磁石２０を第１仕切片１２ｂに押し付けた状態で、有極電磁石２０をボディ１２に収納することができる。リモコンリレー１０は、板ばね１６によって、プランジャ２７の進退駆動に伴う振動を緩和することが可能となる。
【００３４】
次に、本実施形態のリモコンリレー１０における開閉機構部７０について説明する。
【００３５】
開閉機構部７０は、たとえば、接点部７１と、有極電磁石２０のプランジャ２７の進退に応じて揺動する連動レバー７２と、接点部７１に接圧を与える接圧ばね７３とを主として備えた構成とすることができる（図４を参照）。
【００３６】
接点部７１は、リモコンリレー１０と接続される電路を開閉可能なものである。本実施形態のリモコンリレー１０では、１極の接点部７１を備えている。接点部７１は、可動接点７４ａと固定接点５０ａとで構成している。接点部７１は、可動接点７４ａを有する可動接触子７４と、固定接点５０ａを有する固定端子板５０とを備えた構成とすることができる。可動接触子７４は、可動により固定接点５０ａと当接可能なものである。可動接触子７４は、長尺状の金属板により構成することができる。可動接触子７４は、電気導電性の高い金属材料として、銅、銅とタングステンとの合金などを用いて形成することができる。固定端子板５０は、可動接点７４ａに対向して固定接点５０ａを設けている。固定端子板５０は、金属板によりＳ字形状に形成することができる。固定端子板５０は、電気導電性の高い金属材料として、銅、銅とタングステンとの合金などを用いて形成することができる。可動接触子７４と固定端子板５０とは、同じ材料を用いて構成してもよいし、異なる材料を用いて構成してもよい。可動接触子７４や固定端子板５０は、めっき処理などにより、表面に銀被膜を形成してもよい。本実施形態のリモコンリレー１０では、接点部７１では、プランジャ２７の進退駆動に対応して、固定接点５０ａと可動接点７４ａとが接触または開離する。
【００３７】
連動レバー７２は、プランジャ２７の進退に応じて接点部７１の開閉を切り替えるために備えられることが好ましい。連動レバー７２は、電気絶縁性の合成樹脂成形品により長板状に形成することができる。連動レバー７２は、プランジャ２７の一方の端部２７ｂａの貫通孔部２７ａａに取り付けた第１軸ピン１５を、第１軸孔７２ｂａに挿入している（図３および図４を参照）。連動レバー７２は、第１軸ピン１５と第１軸孔７２ｂａとによって、プランジャ２７に対して回転自在に連結している。連動レバー７２は、コイル枠２６に設けた一対の支持片２６ｄの挿通孔部２６ｄａに通された第２軸ピン１７を、本体部７２ｃの中間部に設けた第２軸孔７２ｂｂに通している。連動レバー７２は、第２軸ピン１７により、コイル枠２６に対して回転自在に支持されている。第１軸ピン１５と第２軸ピン１７とは、第１軸ピン１５の軸方向と第２軸ピン１７の軸方向とが平行となるように配置している。そのため、連動レバー７２は、プランジャ２７が進退駆動することによって、第２軸ピン１７を中心に揺動することができる。連動レバー７２は、本体部７２ｃにおける有極電磁石２０と反対側に可動接触子７４を保持している。
【００３８】
可動接触子７４は、連動レバー７２と共に揺動する。可動接触子７４は、長手方向の一端側（図４の下側）に可動接点７４ａを備えている。可動接触子７４は、長手方向の他端側（図４の上側）に編組銅線よりなる可撓電線７５の一端部を電気的に接続している。
【００３９】
可撓電線７５は、可動接触子７４との接続部位とは反対の他端部をケース１０ａに固定させる端子片７６と電気的に接続している。端子片７６は、座金付きの第１端子螺子７７によりボディ１２に取り付けられる。リモコンリレー１０では、第１端子螺子７７がケース１０ａの外部に露出するように構成している。なお、可撓電線７５は、連動レバー７２および可動接触子７４の揺動動作を妨げないように、連動レバー７２および可動接触子７４とケース１０ａとの間に配置していることが好ましい。
【００４０】
連動レバー７２は、連動レバー７２の本体部７２ｃにばね受け部７２ｄを一体的に設けている。ばね受け部７２ｄは、側面視がＣ字状で、可動接触子７４との対向面側が開口した外形形状としている。ばね受け部７２ｄは、コイルばねからなる接圧ばね７３の一端側を保持する。接圧ばね７３の他端側は、本体部７２ｃとばね受け部７２ｄとの間に挿入される可動接触子７４に接触する。可動接触子７４は、長手方向の中間部に接圧ばね７３のばね座となる突部（図示せず）を備えていることが好ましい。可動接触子７４は、ばね座となる突部よりも下方に、連動レバー７２の位置決め突起７２ｈを挿入する貫通孔７４ｃを備えている（図３および図４を参照）。また、連動レバー７２には、表面が湾曲し可動接触子７４と当接可能な支点突起７２ｅを備えている。
【００４１】
連動レバー７２は、ケース１０ａに開口した窓部１０ａａに臨む表示片７２ｆを上端部に備えている。リモコンリレー１０は、プランジャ２７の進退に応じて連動レバー７２が揺動すると、窓部１０ａａから露出する表示片７２ｆの表示面における露出面が変化する。リモコンリレー１０は、たとえば、接点部７１の閉成状態において、「ＯＮ」などの文字が表記された表示片７２ｆの表示面を窓部１０ａａからユーザに視認させることができる。同様に、リモコンリレー１０は、たとえば、接点部７１の開放状態において、「ＯＦＦ」などの文字が表記された表示片７２ｆの表示面を窓部１０ａａからユーザに視認させることが可能となる。連動レバー７２は、窓部１０ａａから常時露出している表示片７２ｆに溝部７２ｆａを備えている。リモコンリレー１０では、たとえば、ユーザがマイナスドライバの先端部など鋭利な工具を窓部１０ａａに挿入して溝部７２ｆａに係合させ、ケース１０ａの外部から手動の操作で連動レバー７２を揺動させることができる。したがって、リモコンリレー１０では、連動レバー７２の手動の操作に応じて接点部７１を開閉できるように構成している。
【００４２】
固定端子板５０は、固定接点５０ａを固定した一端部と反対側の他端部がケース１０ａの外部に露出するようにボディ１２に取り付けている。固定端子板５０は、ケース１０ａから露出した他端部に座金付きの端子螺子（図示していない）を用いてボディ１２に取り付けることができるように構成している。なお、本実施形態のリモコンリレー１０では、固定端子板５０は、可動接触子７４と電気的に接続した端子片７６とケース１０ａの幅方向に並べて収納している。リモコンリレー１０は、端子片７６と固定端子板５０との間に隔壁１８を配置している。隔壁１８は、電気絶縁性の合成樹脂により形成することができる。リモコンリレー１０は、ボディ１２に固定した隔壁１８により、固定端子板５０と端子片７６との間の電気的絶縁性を確保することができる。
【００４３】
本実施形態のリモコンリレー１０は、コイル２５が１巻線型であり、プランジャ２７を進退駆動させるために、コイル２５への通電方向を反転させる必要がある。
【００４４】
リモコンリレー１０は、コイル２５への通電時に現在のプランジャ２７の停止位置と反対方向に進退駆動する通電方向が選択できるように、プランジャ２７の進退に応じて通電方向の切り換えを行う切替接点６９ｓを備えている。リモコンリレー１０では、連動レバー７２に接点操作片７２ｋを設けて、プランジャ２７の進退駆動と切替接点６９ｓの開閉とを連動させている。
【００４５】
リモコンリレー１０では、切替接点６９ｓは、たとえば、図５に示すように、コイル２５に２種類の給電経路を択一的に選択できるように構成することができる。リモコンリレー１０は、給電経路の一方に第１ダイオード６９ａを接続している。リモコンリレー１０は、給電経路の他方に第２ダイオード６９ｂを接続している。第１ダイオード６９ａと第２ダイオード６９ｂとは、各給電経路を通過する電流が互いに逆向きになる関係で電気的に接続している。第１ダイオード６９ａと第２ダイオード６９ｂとは、切替接点６９ｓにより選択された各給電経路それぞれに電流が逆流することを抑制する逆流阻止要素として機能する。第１ダイオード６９ａと第２ダイオード６９ｂとは、切替接点６９ｓと反対側を共通に接続している。また、リモコンリレー１０は、第２ダイオード６９ｂと切替接点６９ｓとの間に、コンデンサ６９ｃと抵抗６９ｒとの直列回路を接続している。リモコンリレー１０は、一対のコイル端子板６５を通して、入力される外部信号を受けてコイル２５に通電されると、通電方向に応じてプランジャ２７を進退駆動させる。リモコンリレー１０は、プランジャ２７の進退に応じて、接点部７１を開閉することができる。
【００４６】
切替接点６９ｓは、切替接点６９ｓの切替回路を形成する接点基板（図示していない）と共に切替ブロック部６０を構成している（図４を参照）。本実施形態のリモコンリレー１０では、有極電磁石２０に載置される樹脂成形品の基台６１が切替ブロック部６０を保持している。切替ブロック部６０は、図４に示すように、第１固定接点板６３ａと第２固定接点板６３ｂとを備えている。切替ブロック部６０は、第１固定接点板６３ａに対向する位置に第１可動接点板６４ａを備えている。また、切替ブロック部６０は、第２固定接点板６３ｂに対向する位置に第２可動接点板６４ｂを備えている。
【００４７】
切替ブロック部６０を保持する基台６１は、基台６１の周部に切欠６１ａが設けられ、コイル枠２６から上方に突設された第１リブ２６ｆを切欠６１ａに係合させている。基台６１は、第１リブ２６ｆを切欠６１ａに係合させた状態で熱着することにより、コイル枠２６に固定している。第１可動接点板６４ａは、側面視において、Ｃ字状の接点支持板６４の一方の脚片に設けられ、対応する第１固定接点板６３ａに対して接触する向きのばね力を有している。同様に、第２可動接点板６４ｂは、Ｃ字状の接点支持板６４の他方の脚片に設けられ、対応する第２固定接点板６３ｂに対して接触する向きのばね力を有している。連動レバー７２の接点操作片７２ｋは、第１可動接点板６４ａと第２可動接点板６４ｂとの間に挿入している。
【００４８】
リモコンリレー１０では、連動レバー７２がプランジャ２７の進退駆動に伴って揺動すると、プランジャ２７の前進した停止位置において、第２可動接点板６４ｂが接点操作片７２ｋに押される。リモコンリレー１０は、接点操作片７２ｋにより、第２可動接点板６４ｂが第２固定接点板６３ｂから離れ、通電方向が切り替えられる。同様に、リモコンリレー１０では、プランジャ２７の後進方向の停止位置において、第１可動接点板６４ａが接点操作片７２ｋに押される。リモコンリレー１０は、接点操作片７２ｋにより、第１可動接点板６４ａが第１固定接点板６３ａから離れ、通電方向が切り替えられる。
【００４９】
また、基台６１には、一対のコイル端子板６５が取り付けられている。基台６１は、各コイル端子板６５に座金付きの第２端子螺子６６を設けている。
【００５０】
次に、本実施形態のリモコンリレー１０の動作について説明する。
【００５１】
リモコンリレー１０では、プランジャ２７が前進（図４中の左側）するようにコイル２５に通電された場合、プランジャ２７の前進に伴って連動レバー７２が第２軸ピン１７を中心として、図４中の時計回りに回転する。リモコンリレー１０は、連動レバー７２の回転に伴い可動接点７４ａと固定接点５０ａとが接触する。可動接触子７４は、支点突起７２ｅに当接しており、接圧ばね７３によって支点突起７２ｅを中心として時計回りに回転させる力が付与されている。そのため、可動接触子７４は、可動接点７４ａの固定接点５０ａに対する接触圧を、接圧ばね７３によって調節することが可能となる。また、リモコンリレー１０では、連動レバー７２の時計回りの回転に伴い、第２可動接点板６４ｂが接点操作片７２ｋに押され、第２可動接点板６４ｂが第２固定接点板６３ｂから離れた状態となる。この場合、リモコンリレー１０では、コイル２５への通電方向としてプランジャ２７を後進方向へ進退駆動させる向きのみが許可された状態となるため、コイル２５への通電が停止されるが、２個の永久磁石２３の磁力によって、接点部７１の閉成状態が維持される。
【００５２】
また、リモコンリレー１０では、通電方向が反転した電流がコイル２５へ流れると、プランジャ２７が後進する（図４中の右側に移動）。リモコンリレー１０では、連動レバー７２が第２軸ピン１７を中心に、図４中の反時計回りに回転し、可動接点７４ａが固定接点５０ａから離れて接点部７１が開放状態となる。また、リモコンリレー１０では、連動レバー７２の反時計回りの回転に伴い、第１可動接点板６４ａが接点操作片７２ｋに押されることにより、第１可動接点板６４ａと第１固定接点板６３ａとが離れた状態となる。この場合、リモコンリレー１０では、コイル２５への通電方向としてプランジャ２７を前進方向へ進退駆動させる向きのみが許可された状態となるため、コイル２５への通電が停止されるが、２個の永久磁石２３の磁力によって、接点部７１の開放状態が維持される。
【００５３】
ところで、リモコンリレー１０では、ヨーク２１と接極子２８とが近づくにつれ、有極電磁石２０の電磁力が急激に大きくなる傾向にある。本実施形態と比較するリモコンリレーとしては、図示していないが、有極電磁石２０の電磁力が急激に大きくなることを抑制するため、ヨーク２１と接極子２８との間隔を調整するプレートを、ヨーク２１と接極子２８との間に配置することが考えられる。比較のためのリモコンリレーでは、ヨーク２１と接極子２８との隙間を調整するプレートにより、プランジャ２７の停止位置を調整してプランジャ２７と接極子２８とに働く吸引力が急激に増加することを抑制することになる。
【００５４】
しかしながら、比較のためのリモコンリレーは、たとえば、ヨーク２１など有極電磁石２０を構成する金属部品の寸法精度がばらつくと、ヨーク２１と接極子２８との隙間を調整するプレートを配置しただけでは、吸引力の変動が生じる虞がある。比較のためのリモコンリレーでは、プランジャ２７に働く吸引力に変動が生じる場合、プランジャ２７の駆動動作が不安定となり動作不良が生ずる虞がある。そのため、比較のためのリモコンリレーでは、駆動動作が不安定な場合、接圧ばね７３の変更などにより、接点部７１の接点圧を手直しして調整などが必要となる場合がある。
【００５５】
本願の発明者らは、ヨーク２１と接極子２８との間隔のばらつきよりも、補助ヨーク２４と接極子２８との間隔のばらつきの方が、プランジャ２７に働く吸引力の変動に、より大きく関与することを見出し本発明をなすに至った。
【００５６】
本実施形態のリモコンリレー１０は、間隔保持部２２により補助ヨーク２４と接極子２８との間隔２０Ｇを所定の規定された間隔２０Ｇに保持している。また、リモコンリレー１０は、間隔保持部２２により接極子２８とヨーク２１との間隔を間接的に規定している。これにより本実施形態のリモコンリレー１０は、比較的簡単な構成で駆動動作の安定化を図ることができる。
【００５７】
すなわち、本実施形態のリモコンリレー１０では、プランジャ２７の停止位置において、第１接極子２８ａがヨーク２１と空間を介して設けられている。リモコンリレー１０では、第２接極子２８ｂと補助ヨーク２４との間の間隔２０Ｇを保持する間隔保持部２２として、第２接極子２８ｂと補助ヨーク２４との間に設けられた非磁性体のプレート２２ａを備えている。言い換えれば、本実施形態のリモコンリレー１０では、間隔保持部２２は、プランジャ２７の停止位置において、ヨーク２１からより離れた接極子２８と補助ヨーク２４との間に設けた非磁性体のプレート２２ａである。
【００５８】
プレート２２ａは、たとえば、非磁性体として、ステンレスやアルミニウム合金などの金属材料、樹脂材料、シリコンなどの半導体材料を用いて形成することができる。プレート２２ａは、非磁性体を用いることで磁力線の漏れや不要な発熱などにより生ずる磁力の損失を抑制することが可能となる。プレート２２ａは、接極子２８と補助ヨーク２４との間隔２０Ｇを所定の間隔２０Ｇで保持できればよく、種々の形状とすることができる。なお、本実施形態のリモコンリレー１０では、第２接極子２８ｂと補助ヨーク２４との間だけにプレート２２ａを設けている。リモコンリレー１０で、第２接極子２８ｂと補助ヨーク２４との間および第１接極子２８ａと補助ヨーク２４との間それぞれにプレート２２ａを設けてもよい。
【００５９】
また、第２接極子２８ｂとプレート２２ａとは、図６に示すように、固定して一体化していることがより好ましい。第２接極子２８ｂとプレート２２ａとは、第２接極子２８ｂとプレート２２ａとも金属材料により構成する場合、たとえば、溶接を利用することで固定することが容易となる。プレート２２ａは、第２接極子２８ｂの第２嵌合孔２８ｂｂよりも大きな開口孔２２ｂｂを備えている。本実施形態のリモコンリレー１０は、非磁性体のプレート２２ａを第２接極子２８ｂに固定することで、第２接極子２８ｂとのバウンスなどに伴うプレート２２ａの噛みこみが生ずることを抑制することができる。また、リモコンリレー１０では、間隔２０Ｇに変動が生ずることを抑制し、より信頼性を高めることも可能となる。
【００６０】
次に、本実施形態のリモコンリレー１０を使用した遠隔制御システム９０について、図７を参照して説明する。
【００６１】
図７に示す遠隔制御システム９０は、一点鎖線で例示する２線式の伝送線９０ａを介して、操作端末器９１と、制御端末器９２と、伝送ユニット９５とを電気的に接続している。遠隔制御システム９０は、制御端末器９２がリモコンリレー１０により照明器具のような負荷９４への給電を制御する。遠隔制御システム９０は、二点鎖線で例示する電力線９０ｂを介して、電源トランス９３が複数（ここでは、４個）のリモコンリレー１０と制御端末器９２とに給電している。なお、図７に示す遠隔制御システム９０では、操作端末器９１および制御端末器９２を１台ずつしか接続していないが、操作端末器９１および制御端末器９２の台数を適宜に変更することが可能である。
【００６２】
遠隔制御システム９０は、伝送ユニット９５から伝送信号を送出することにより、操作端末器９１と制御端末器９２との間でデータの授受を行うことができる。伝送信号は、たとえば、スタートパルス、モードデータ、アドレスデータ、制御データ、エラー訂正符号、返送待機期間とを含んだものを利用することができる。モードデータは、たとえば、信号のモードを示すものであり、制御データは、負荷９４の点灯、消灯や調光などの制御内容を示すものである。返送待機期間は、操作端末器９１と制御端末器９２から返送信号を返送するためのものである。伝送信号は、たとえば、複極性（±２４Ｖ）の時分割多重信号を用いることができる。遠隔制御システム９０は、伝送信号のパルス幅変調によってデータを伝送することができる。
【００６３】
操作端末器９１と制御端末器９２とは、伝送線９０ａを介して、受信した伝送信号のアドレスデータに含まれるアドレスが、予め設定された自己のアドレスと一致した場合、伝送信号の制御データを取り込む。また、操作端末器９１と制御端末器９２は、自己宛ての伝送信号を受信した場合、伝送信号の返送待機期間に同期して返送信号を電流モード信号として返送する。なお、電流モード信号は、伝送線９０ａの線間を適当な低インピーダンスの電子部品を介して短絡させて送出される信号を用いることができる。操作端末器９１は、第１操作スイッチ９１ａや第２操作スイッチ９１ｂが操作されると、通常時に伝送されてくる伝送信号のスタートパルスに同期して、割り込み信号を電流モードにより送出する。
【００６４】
伝送ユニット９５は、信号送信処理と、割り込み処理とを行い、信号送信処理により、モードデータをポーリングモードとして常時監視する対象の操作端末器９１あるいはダミーのアドレスデータを持つ伝送信号を常時送出する。また、伝送ユニット９５は、ポーリングモードにおいて割り込み信号が受信されると、伝送ユニット９５の割り込み処理によりグループアドレスを持つ伝送信号を順次送信し、割り込み信号を送信した操作端末器９１を検出する。なお、グループアドレスとは、操作端末器９１をグループ単位で識別するために用いられるアドレスである。
【００６５】
割り込み信号を送出した操作端末器９１は、自己が属するグループアドレスのアクセス時に自己のアドレスを返送待機期間に返送信号として返送する。返送信号を受信した伝送ユニット９５は、送られてきたアドレスデータをもとに割り込み信号を発生した操作端末器９１を特定する。割り込みをかけた操作端末器９１が特定されると、伝送ユニット９５は、操作端末器９１をアクセスする伝送信号を送出し、操作端末器９１から返送待機期間に第１操作スイッチ９１ａの操作データを監視データとして返送させる。
【００６６】
伝送ユニット９５では、一連の割り込み処理を経て監視データを受信すると、操作端末器９１と予め対応付けられた制御端末器９２への制御データに基づいて作成する。伝送ユニット９５は、作成した制御データを、制御端末器９２のアドレスデータとともに伝送信号により時分割多重伝送する。伝送信号によりアクセスされた制御端末器９２は、制御データの制御内容に応じたリモコンリレー１０を制御し、負荷９４への電源供給のオンとオフとを制御する。すなわち、遠隔制御システム９０では、操作端末器９１の第１操作スイッチ９１ａの操作に応じて、対応する制御端末器９２によりリモコンリレー１０を介して負荷９４への電源供給のオンとオフとを制御することができる。
【００６７】
（実施形態２）
本実施形態のリモコンリレー１０は、図１に示す実施形態１のプレート２２ａの代わりに、図８に示す突出部２６ｈを間隔保持部２２として用いた点が主として相違する。なお、実施形態１と同様の構成には、同一の符号を付して説明は省略する。
【００６８】
本実施形態のリモコンリレー１０では、図８および図９に示すように、間隔保持部２２は、コイル枠２６から、プランジャ２７の停止位置において、ヨーク２１からより離れた接極子２８側に突出する突出部２６ｈである。
【００６９】
本実施形態のリモコンリレー１０は、コイル枠２６の突出部２６ｈを利用して、補助ヨーク２４と接極子２８との間隔２０Ｇを所定の規定された間隔２０Ｇに保持することが可能としている。また、コイル枠２６は、樹脂成型品を用いて形成する場合、間隔２０Ｇを精度よく管理することが可能となる。本実施形態のリモコンリレー１０では、実施形態１のごとくプレート２２ａを備えていない分だけ、より構成を簡略化することも可能となる。
【００７０】
本実施形態のリモコンリレー１０では、コイル枠２６の挿通孔２６ａａの周部に複数個（ここでは、４個）の突出部２６ｈを配置している。突出部２６ｈは、接極子２８と当接して接極子２８と補助ヨーク２４との間に所定の間隔２０Ｇを形成できればよい。間隔２０Ｇは、有極電磁石２０の構成やコイル２５に供給する電力に応じて適宜に設定すればよい。突出部２６ｈは、接極子２８との間に所定の間隔２０Ｇを形成するため、少なくとも１個設ければよい。リモコンリレー１０では、３個以上の突出部２６ｈで突出部２６ｈと接極子２８とが当接する場合、より安定した間隔２０Ｇを確保することが比較的に容易となる。突出部２６ｈは、円柱状、多角柱状、円錐台状や多角錐台状の形状とすることができる。突出部２６ｈは、突出部２６ｈの表面を平滑面としてもよいし、複数の凹凸を備えていてもよい。
【００７１】
リモコンリレー１０は、突出部２６ｈをコイル枠２６と一体的に形成する方が、間隔保持部２２の寸法精度を高めることが容易となるが、必ずしも一体的に形成するものだけに限られない。リモコンリレー１０は、突出部２６ｈとコイル枠２６とを別体に形成し、突出部２６ｈをコイル枠２６に固着して形成してもよい。リモコンリレー１０は、突出部２６ｈとコイル枠２６とを別体とする場合、接極子２８と当接する突出部２６ｈの機械的な強度を、コイル枠２６の機械的強度よりも高いものとすることができる。突出部２６ｈは、コイル枠２６とは異なる材質の材料として、金属材料や半導体材料を用いることもできる。突出部２６ｈは、金属材料として非磁性材料のステンレスを利用することもできる。突出部２６ｈは、半導体材料としてシリコンを利用することができる。突出部２６ｈは、半導体材料を用いる場合、間隔２０Ｇの寸法を、より精度よく形成することもできる。
【００７２】
本実施形態のリモコンリレー１０は、接極子２８と当接する突出部２６ｈを備えていればよく、図９に示すコイル枠２６を備えたリモコンリレー１０の構成だけに限られない。したがって、本実施形態のリモコンリレー１０は、たとえば、第１接極子２８ａ側に実施形態１で説明したプレート２２ａを備え、第１接極子２８ａ側に突出部２６ｈを備えることにより、実施形態１の構成を適宜に組み合わせた構成としてもよい。
【００７３】
（実施形態３）
本実施形態のリモコンリレー１０は、図９に示す実施形態２の突出部２６ｈの代わりに、図１０に示すコイル枠２６の挿通孔２６ａａの周部における表面２６ｋを接極子２８に当接させて間隔保持部２２に利用する点が主として相違する。なお、実施形態２と同様の構成には、同一の符号を付して説明は省略する。
【００７４】
本実施形態のリモコンリレー１０では、プランジャ２７の停止位置において、コイル枠２６の表面２６ｋは、ヨーク２１からより離れた接極子２８と当接する。
【００７５】
本実施形態のリモコンリレー１０は、コイル枠２６の表面２６ｋを利用して、補助ヨーク２４と接極子２８との間隔を所定の規定された間隔２０Ｇに保持することを可能としている。また、本実施形態のリモコンリレー１０では、非磁性体のプレート２２ａを持たない場合、より構成を簡略化することが可能となる。また、リモコンリレー１０は、樹脂成型品のコイル枠２６を用いる場合、間隔２０Ｇを精度よく管理することが可能となる。
【００７６】
本実施形態のリモコンリレー１０では、コイル枠２６の表面２６ｋは、接極子２８と当接して接極子２８と補助ヨーク２４との間に所定の規定された間隔２０Ｇを形成できればよい。コイル枠２６の表面２６ｋは、必ずしも平滑面とする必要はない。そのため、コイル枠２６は、表面２６ｋを、対向する接極子２８の形状に合わせて凹状曲面や傾斜面など種々の形状としてもよい。リモコンリレー１０は、コイル枠２６に別途の所定部材（図示していない）を備えて、所定部材の表面をコイル枠２６の表面２６ｋとしてもよい。
【００７７】
本実施形態のリモコンリレー１０は、コイル枠２６の表面２６ｋが接極子２８側と当接して、所定の規定された間隔２０Ｇを保持できればよく、図１０に示すコイル枠２６を備えたリモコンリレー１０の構成だけに限られない。したがって、本実施形態のリモコンリレー１０は、実施形態１で説明したプレート２２ａや実施形態２の突出部２６ｈを適宜に組み合わせた構成としてもよい。
【符号の説明】
【００７８】
１０  リモコンリレー
２０  有極電磁石
２０Ｇ  間隔
２１  ヨーク
２２  間隔保持部
２２ａ  プレート
２３  永久磁石
２４  補助ヨーク
２５  コイル
２６  コイル枠
２６ｈ  突出部
２７  プランジャ
２８  接極子
７１  接点部
７０  開閉機構部
【図１】
2015141884.tif 000003
【図２】
2015141884.tif 000004
【図３】
2015141884.tif 000005
【図４】
2015141884.tif 000006
【図５】
2015141884.tif 000007
【図６】
2015141884.tif 000008
【図７】
2015141884.tif 000009
【図８】
2015141884.tif 000010
【図９】
2015141884.tif 000011
【図１０】
2015141884.tif 000012
【図１１】
2015141884.tif 000013